(57)【要約】  【課題】  押しボタンを押したときに、タクトスイッチのクリック感を向上できて、クリック感のばらつきを低減でき、また、押しボタンとタクトスイッチを製作するための金型に特別な費用を必要とすることがなくてコスト的にも有利なタクトスイッチのクリック感発生構造を提供する。【解決手段】  押しボタン４を押すことにより、この押しボタン４のタクトスイッチ３への接触でクリック感が発生するようにしたタクトスイッチのクリック感発生構造において、タクトスイッチ３の先端面と押しボタン４の先端面が凹凸面３ｂ、４ｃに形成されており、押しボタン４を押すことにより、この押しボタン４の凹凸面４ｃがタクトスイッチ３の凹凸面３ｂに噛み合った状態で接触してクリック感を発生するように構成した。【選択図】  図１
2009123514.tif 000002
【特許請求の範囲】
【請求項１】
押しボタンを押すことにより、この押しボタンのタクトスイッチへの接触でクリック感が発生するようにしたタクトスイッチのクリック感発生構造において、前記タクトスイッチの先端面と押しボタンの先端面が凹凸面に形成されており、前記押しボタンを押すことにより、この押しボタンの凹凸面が前記タクトスイッチの凹凸面に噛み合った状態で接触してクリック感を発生するように構成したことを特徴とするタクトスイッチのクリック感発生構造。
【請求項２】
前記押しボタンと前記タクトスイッチの各凹凸面がシボ加工により山谷形状に形成されている請求項１に記載のタクトスイッチのクリック感発生構造。
【請求項３】
前記押しボタンと前記タクトスイッチの各凹凸面が、押しボタンのヒンジ部の方向と同方向に形成された間隔の狭い複数の凹溝によって形成されている請求項１に記載のタクトスイッチのクリック感発生構造。
【発明の詳細な説明】
【技術分野】
【０００１】
本発明は、押しボタンを押すことにより、この押しボタンのタクトスイッチへの接触でクリック感が発生するようにしたタクトスイッチのクリック感発生構造に関するものである。
【背景技術】
【０００２】
従来のタクトスイッチのクリック感発生構造は、図３（ａ）（ｂ）に示すように、基板１０１に実装されたタクトスイッチ１０２の円柱状部１０２ａの先端面１０２ｂは平らな面に形成され、フロントパネル１０３に設けられた押しボタン１０４におけるタクトスイッチ１０２に接触する円柱状部１０４ａの奥端面１０４ｂも平らな面に形成されていた。そして、押しボタン１０４を押すとヒンジ部１０４ｃを中心にして円弧状に奥側に移動するために、この押しボタン１０４の円柱状部１０４ａの奥端面１０４ｂとタクトスイッチ１０２の円柱状部１０２ａの先端面１０２ｂが点接触して接触面積が小さく押しボタン１０４とタクトスイッチ１０２が噛み合うことがなかったために、タクトスイッチ１０２のクリック感が悪く、複数のタクトスイッチ１０２のクリック感のばらつきも大きいという問題があった。
【０００３】
第１の従来技術を図４に示す。この従来の操作パネルユニットは、図４に示すように、スイッチ２２５が搭載された基板２２４を覆うように対向配置されたキーケース２２３の開口２２３ａ内には、操作キー２３４が設けられ、その操作キー２３４の押圧面２３４ａは、開口２２３ａの縁部表面より上方に位置し、押圧操作により裏面側に移動するようにスプリング部２３４ｂにより保持される。この操作キー２３４は、押圧操作時、押圧部２３４ｃによってスイッチ２２５を作動させる。キーケース２２３の表面は本体ケース２２１により覆われ、操作キー２３４は、本体ケース２２１の遊嵌口２２１ａを通してその表面に表出する。さらに、操作キー２３４の押圧面２３４ａ及びこの遊嵌口２２１ａ周囲の本体ケース表面の表示シート２２２により覆って接触させることにより、操作キー２３４の移動ストロークを制限する。（例えば、特許文献３参照）
【０００４】
ところが、これにおいては、操作キー２３４の先端面とスイッチ２２５の先端面が平面に形成されているために、操作キー２３４を押すとその先端面とスイッチ２２５の先端面が点接触することになって接触面積が小さいために良好なクリック感が得られないという問題があった。
【０００５】
【特許文献１】特開２００７−２２７０１７号公報
【発明の開示】
【発明が解決しようとする課題】
【０００６】
本発明は、上記従来の問題に鑑みてなされたものであって、ＤＶＤプレーヤーなどのセットにおいて、再生ボタン等の各種押しボタンを押したときに、タクトスイッチのクリック感を向上することができて、クリック感のばらつきを低減することができ、また、押しボタンとタクトスイッチを製作するための金型に特別な費用を必要とすることがなくてコスト的にも有利なタクトスイッチのクリック感発生構造を提供することを目的としている。
【課題を解決するための手段】
【０００７】
本発明は、上記課題を解決するために提案されたものであって、請求項１に記載の発明は、押しボタンを押すことにより、この押しボタンのタクトスイッチへの接触でクリック感が発生するようにしたタクトスイッチのクリック感発生構造において、前記タクトスイッチの先端面と押しボタンの先端面が凹凸面に形成されており、前記押しボタンを押すことにより、この押しボタンの凹凸面が前記タクトスイッチの凹凸面に噛み合った状態で接触してクリック感を発生するように構成したことを特徴としている。
【０００８】
請求項２に記載の発明は、請求項１に記載の発明において、前記押しボタンと前記タクトスイッチの各凹凸面がシボ加工により山谷形状に形成されている。
【０００９】
請求項３に記載の発明は、請求項１に記載の発明において、前記押しボタンと前記タクトスイッチの各凹凸面が、押しボタンのヒンジ部の方向と同方向に形成された間隔の狭い複数の凹溝によって形成されている。
【発明の効果】
【００１０】
請求項１に記載の発明によれば、押しボタンを押したときに、この押しボタンの先端面の凹凸面がタクトスイッチの先端面の凹凸面が噛み合って接触するから、タクトスイッチを押しボタンで正確に押すことができて、タクトスイッチのクリック感を向上することができる。また、押しボタンとタクトスイッチが複数ある場合には、これらタクトスイッチのクリック感のばらつきを低減することができる。また、押しボタンとタクトスイッチの先端面に凹凸面を形成するだけであるから、これら押しボタンとタクトスイッチを製作するための金型に特別な費用を必要とすることがなくてコスト的にも有利である。
【００１１】
請求項２に記載の発明によれば、押しボタンとタクトスイッチの各凹凸面がシボ加工により山谷形状に形成されているから、押しボタンを押したときに山形形状の凹凸面をタクトスイッチの山形形状の凹凸面に確実に噛み合わすことができて、タクトスイッチのクリック感をより一層向上することができる。また、山形形状の凹凸面をシボ加工により簡単に形成することができて、コスト的にも有利である。
【００１２】
請求項３に記載の発明によれば、押しボタンとタクトスイッチの各凹凸面が押しボタンのヒンジ部の方向と同方向に形成された間隔の狭い複数の凹溝によって形成されているから、押しボタンを押したときに各凹凸面が正確に噛み合うことにより、押しボタンを押したときにタクトスイッチのクリック感をより一層向上することができる。また、凹凸面の凹溝を簡単に形成することができるから、コスト的にも有利である。
【発明を実施するための最良の形態】
【００１３】
以下、本発明に係るタクトスイッチのクリック感発生構造の実施の形態について、図を参照しつつ説明する。尚、下記するタクトスイッチは、ＤＶＤプレーヤーなどのセットに用いられるものであり、押しボタンとしては、再生スイッチ等の各種ボタンを含むものである。
図１は本発明の第１実施形態のタクトスイッチのクリック感発生構造を示し、（ａ）はそのタクトスイッチと押しボタンの斜視図、（ｂ）はその押しボタンが押されてタクトスイッチに接触した状態の部分側面図である。
【００１４】
この第１実施形態のタクトスイッチのクリック感発生構造は、図１（ａ）（ｂ）に示すように、フロントパネル１の内側に縦向きに配置された基板２にタクトスイッチ３が実装され、フロントパネル１にはタクトスイッチ３をＯＮ．ＯＦＦする押しボタン４が取り付けられている。この押しボタン４はヒンジ部４ａを中心に内側に押し操作できるようになっている。タクトスイッチ３の円柱状部３ａの先端面と押しボタン４の円柱状部４ｂの先端面はシボ加工により山谷形状の凹凸面３ｂ、４ｃに形成されている。図１（ｂ）に示すように、押しボタン４を押すと、ヒンジ部４ａを中心に押しボタン４が奥側に移動し、押しボタン４の山谷形状の凹凸面４ｃがタクトスイッチ３の山谷形状の凹凸面３ｂが噛み合ってクリック感が発生するようになっている。
【００１５】
従って、この第１実施形態によれば、押しボタン４を押したときに、押しボタン４の山谷形状の凹凸面４ｃがタクトスイッチ３の山形形状の凹凸面３ｂに噛み合って接触するから、タクトスイッチ３を押しボタン４で正確に押すことができて、タクトスイッチ３のクリック感を向上することができる。また、押しボタン４とタクトスイッチ３が複数ある場合には、これらタクトスイッチ３のクリック感のばらつきを低減することができる。また、押しボタン４とタクトスイッチ３の先端面にシボ加工により山谷形状の凹凸面３ｂ、４ｃを形成するだけであるから、これら押しボタン４とタクトスイッチ３を製作するための金型に特別な費用を必要とすることがなくてコスト的にも有利である。
【００１６】
図２は第２実施形態のタクトスイッチのクリック感発生構造を示し、（ａ）はそのタクトスイッチと押しボタンの斜視図、（ｂ）はその押しボタンが押されてタクトスイッチに接触した状態の部分側面図である。尚、上記した第１実施形態と同一部材、同一箇所には同一符号を付して、その説明を省略する。
この第２実施形態のタクトスイッチのクリック感発生構造は、図２（ａ）（ｂ）に示すように、押しボタン４の円柱状部４ｂの先端面とタクトスイッチ３の円柱状部３ａの先端面に、押しボタン４のヒンジ部４ａの方向と同方向に間隔の狭い複数の凹溝３ｃ、４ｄを形成することによって凹凸面３ｄ、４ｅが形成されている。図２（ｂ）に示すように、押しボタン４を押すと押しボタン４の凹溝４ｄにより形成された凹凸面４ｅがタクトスイッチ３の凹溝３ｃにより形成された凹凸面３ｄに噛み合ってクリック感が発生するようになっている。
【００１７】
従って、この第２実施形態によれば、押しボタン４とタクトスイッチ３の各凹凸面３ｄ、４ｅが押しボタン４のヒンジ部４ａの方向と同方向に形成された間隔の狭い複数の凹溝３ｃ、４ｄによって形成されているから、押しボタン４を押したときに各凹凸面３ｄ、４ｅが正確に噛み合うことにより、押しボタン４を押したときにタクトスイッチ３のクリック感をより向上することができる。また、凹凸面３ｄ、４ｅの凹溝３ｃ、４ｄを簡単に形成することができるから、コスト的にも有利である。
【図面の簡単な説明】
【００１８】
【図１】本発明の第１実施形態のタクトスイッチのクリック感発生構造を示し、（ａ）はそのタクトスイッチと押しボタンの斜視図、（ｂ）はその押しボタンが押されてタクトスイッチに接触した状態の部分側面図である。
【図２】第２実施形態のタクトスイッチのクリック感発生構造を示し、（ａ）はそのタクトスイッチと押しボタンの斜視図、（ｂ）はその押しボタンが押されてタクトスイッチに接触した状態の部分側面図である。
【図３】従来のタクトスイッチのクリック感発生構造を示し、（ａ）はそのタクトスイッチと押しボタンの斜視図、（ｂ）はその押しボタンが押されてタクトスイッチに接触した状態の部分側面図である。
【図４】従来の操作パネルユニットを示す部分断面図である。
【符号の説明】
【００１９】
１          フロントパネル
２          基板
３          タクトスイッチ
３ａ        円柱状部
３ｂ        山谷形状の凹凸面
３ｃ        凹溝
３ｄ        凹凸面
４          押しボタン
４ａ        ヒンジ部
４ｂ        円柱状部
４ｃ        山谷形状の凹凸面
４ｄ        凹溝
４ｅ        凹凸面
【図１】
2009123514.tif 000003
【図２】
2009123514.tif 000004
【図３】
2009123514.tif 000005
【図４】
2009123514.tif 000006